(57)【要約】【課題】音声信号として処理できないフォーマットのデジタル信号が入力された場合、そのデジタル信号に代えてアナログ信号を入力された音声信号として選択する。【解決手段】ＤＶＤプレーヤとの接続がＨＤＭＩ接続か否かが判定され（Ｓ１０）、ＨＤＭＩ接続である場合（Ｓ１０のＹ）、デジタル信号の音声信号が入力されているかが判定される（Ｓ１２）。デジタル信号が入力されている場合（Ｓ１２のＹ）、音声信号処理部がそのデジタル信号を処理可能か否かが判定される（Ｓ１４）。処理が可能であると判定された場合（Ｓ１４のＹ）、ＨＤＭＩレシーバと音声信号処理部とが接続される（Ｓ１６）。ＨＤＭＩ接続でないと判断された場合（Ｓ１０のＮ）、また、デジタル信号の入力がないと判断された場合（Ｓ１２のＮ）、さらに処理不可能と判断された場合（Ｓ１６のＮ）、アナログ信号を選択するためＡＤＣと音声信号処理部とが接続される（Ｓ１８）。【選択図】図２
2008228009.tif 000002
【特許請求の範囲】
【請求項１】
外部のソースから音声信号をデジタル信号として取得するデジタル入力部と、
前記デジタル信号が符号化データである場合に、前記符号化データを復号する復号部と、
前記外部のソースから音声信号をアナログ信号として取得するアナログ入力部と、
前記デジタル入力部に入力された信号が、符号化データである場合、前記符号化データが復号可能であるか判定する判定部と、
前記符号化データが復号可能であると判定された場合、前記外部のソースからの音声信号の入力経路を前記デジタル入力部とし、前記符号化データが復号不可能であると判定された場合、前記外部のソースからの入力経路を前記アナログ入力部とする入力経路選択部と
を備えることを特徴とする音声信号受信装置。
【請求項２】
前記デジタル入力部は、映像信号と音声信号とを伝送可能なインタフェイスにより構成されていることを特徴とする請求項１に記載の音声信号受信装置。
【請求項３】
前記インタフェイスは、ＨＤＭＩ規格に準拠することを特徴とする請求項２に記載の音声信号受信装置。
【請求項４】
請求項１から３のいずれかに記載の音声信号受信装置を備え、
外部のソースから、映像信号と、前記音声信号受信装置に入力されるデジタル信号とを同一のケーブルにて受信可能であることを特徴とする表示装置。
【請求項５】
前記音声信号受信装置において選択された音声信号の入力経路をユーザに通知する通知手段を備えることを特徴とする請求項４に記載の表示装置。
【請求項６】
外部のソースからの音声信号として、デジタル信号またはアナログ信号のいずれか一方の信号を選択的に取得する信号選択方法であって、
入力された前記デジタル信号が符号化データである場合、前記符号化データが復号可能か否かを判定し、復号不可能と判定された場合、前記デジタル信号に代えて前記アナログ信号を前記外部のソースから入力された音声信号として取得することを特徴とする信号選択方法。
【請求項７】
前記音声信号としてのデジタル信号は、映像信号と同一のインタフェイスにより取得されることを特徴とする請求項６に記載の音声信号受信方法。
【請求項８】
前記インタフェイスは、ＨＤＭＩ規格に準拠することを特徴とする請求項７に記載の音声信号受信方法。
【請求項９】
前記外部のソースから入力された音声信号が、前記デジタル信号であるか前記アナログ信号であるかを通知することを特徴とする請求項６から８までのいずれかに記載の音声信号受信方法。
【発明の詳細な説明】
【技術分野】
【０００１】
本発明は、音声信号受信装置、表示装置および音声信号受信方法に係り、特に外部のソースから音声信号としてデジタル信号及びアナログ信号のいずれかのフォーマットの信号を選択的に取得する音声信号受信装置、表示装置および音声信号受信方法に関する。
【背景技術】
【０００２】
近年、オーディオ・ビジュアル分野では、様々な機器が互いにデジタル接続可能になっている。例えば、テレビやＤＶＤ（Digital Versatile Disc）プレーヤなどは、音声信号だけでなく映像信号もデジタル接続可能になっている。
【０００３】
このような状況において、信号のフォーマットや接続インタフェイスに関しても様々な形態が提案されている。例えば、音声信号としてＰＣＭ（Pulse Code Modulation）やＭＰＥＧ（Moving Picture Experts Group）規格に準拠したＡＡＣ（Advanced Audio Coding）、サラウンドのフォーマットとしてドルビー・デジタル（商標）やｄｔｓ（Digital Theater Systems；商標）等がある。その結果、装置メーカは、多様なフォーマットに対応可能な製品の投入が求められている。
【０００４】
また、接続インタフェイスにおいては、ユーザ・フレンドリーの観点で、配線等の設定を容易にできるようにするために、音声信号と映像信号を一本のケーブルで扱えるようにした規格が採用されるようになっている。そのような規格の一つに、映像信号の接続のためのＤＶＩ（Digital Visual Interface）規格について音声信号を扱えるように仕様を拡張したＨＤＭＩ（High Definition Multimedia Interface）規格がある。ＤＶＩ規格による接続の場合、音声信号の伝送には別のケーブルが必要であるが、ＨＤＭＩ規格の接続の場合、一本のケーブルで音声信号、映像信号及び制御信号とを伝送できる。
【０００５】
ＨＤＭＩ規格はＤＶＩ規格の上位規格であること等から、ＨＤＭＩ規格のコネクタによりＤＶＩ規格による接続が許容されており、この場合、映像信号のみがＨＤＭＩケーブルを介して接続される。この場合、音声信号は別のケーブルで接続される必要がある。また、ユーザの仕様態様によっては、外部装置からの信号として、映像信号がＨＤＭＩ規格による信号で、音声信号がアナログ信号である場合もある。さらに、外部装置との音声信号の接続に、デジタル接続及びアナログ接続の両方で接続することもある。
【０００６】
このように、様々な伝送形態を許容可能な接続がなされていると、ユーザは、どのように外部機器と接続されているか的確に把握できないことがある。機器同士を接続作業する者と視聴者が異なる場合、なおさらである。このような状況で、ユーザが外部機器のコンテンツを視聴する際に、入力される音声信号としてデジタル信号もしくはアナログ信号の選択を適切にできず、音声が出力されないといったことが起こる。そこで、ＨＤＭＩ接続において、デジタル信号の入力がない場合、アナログ信号の接続に音声信号の接続を変更する技術が開示されている（特許文献１参照）。
【特許文献１】特開２００６−１９８６９０号公報
【発明の開示】
【発明が解決しようとする課題】
【０００７】
ところで、特許文献１に開示の技術では、デジタル信号の入力の有無を参照し、デジタル信号の入力が無い場合に、アナログ信号に接続を切り替えている。しかし、上述の通りデジタル信号には、様々なフォーマットが存在しており、必ずしも全てのフォーマットのデジタル信号を再生できるわけではない。全てのフォーマットを再生可能に対応すると、製品のコスト上昇を招き現実的ではない。また、接続される機器の市場投入時期が異なると、想定されるフォーマットも異なり、音声信号が再生不可能なデジタル信号となってしまうこともある。このような結果、非対応のフォーマットのデジタル信号が入力された場合、デジタル信号の入力があるためアナログ信号に接続が切り替わらず、音声が出力されないという課題があった。
【０００８】
本発明の目的は、上記課題に鑑み、外部装置から音声信号をデジタル信号及びアナログ信号として取得する際に、再生可能な信号を取得可能とする技術を提供することにある。
【課題を解決するための手段】
【０００９】
本発明に係る装置は、音声信号受信装置に関する。この装置は、外部のソースから音声信号をデジタル信号として取得するデジタル入力部と、前記デジタル信号が符号化データである場合に、前記符号化データを復号する復号部と、前記外部のソースから音声信号をアナログ信号として取得するアナログ入力部と、前記デジタル入力部に入力された信号が、符号化データである場合、前記符号化データが復号可能であるか判定する判定部と、前記符号化データが復号可能であると判定された場合、前記外部のソースからの音声信号の入力経路を前記デジタル入力部とし、前記符号化データが復号不可能であると判定された場合、前記外部のソースからの入力経路を前記アナログ入力部とする入力経路選択部とを備える。
前記デジタル入力部は、映像信号と音声信号とを伝送可能なインタフェイスにより構成されてもよい。
また、前記インタフェイスは、ＨＤＭＩ規格に準拠してもよい。
本発明に係る装置は、表示装置に関する。この装置は、上記の音声信号受信装置を備え、外部のソースから、映像信号と、前記音声信号受信装置に入力されるデジタル信号とを同一のケーブルにて受信可能である。
また、前記音声信号受信装置において選択された音声信号の入力経路をユーザに通知する通知手段を備えてもよい。
本発明に係る方法は、音声受信方法に関する。この方法は、外部のソースからの音声信号として、デジタル信号またはアナログ信号のいずれか一方の信号を選択的に取得する信号選択方法であって、入力されたデジタル信号が符号化データである場合、前記符号化データが復号可能か否かを判定し、復号不可能と判定された場合、前記デジタル信号に代えてアナログ信号を前記外部のソースから入力された音声信号として取得する。
また、前記音声信号としてのデジタル信号は、映像信号と同一のインタフェイスにより取得されてもよい。
また、前記インタフェイスは、ＨＤＭＩ規格に準拠してもよい。
また、前記外部のソースから入力された音声信号が、前記デジタル信号であるか前記アナログ信号であるかを通知してもよい。
【発明の効果】
【００１０】
本発明によれば、入力される音声信号としてデジタル信号とアナログ信号とを両方の形態で利用でき、デジタル信号が対応可能なフォーマットであるか否かを判断し、対応不可能なフォーマットの場合には、入力される音声信号としてアナログ信号を選択できる。これにより、入力された音声信号が対応できないフォーマットのデジタル信号である場合、デジタル信号に代えてアナログ信号により音声の再生／出力が可能となり、音声が出力されないといったことを回避できる。
【発明を実施するための最良の形態】
【００１１】
次に、本発明を実施するための最良の形態（以下、「実施形態」という）を、図面を参照して具体的に説明する。
【００１２】
＜第１の実施形態＞
図１は、第１の実施形態に関し、テレビ１０とＤＶＤプレーヤ５０とをＨＤＭＩケーブル４１とアナログケーブル４２で接続した状態を示した機能ブロック図である。なお、本実施形態のテレビ１０に関しては、外部入力に関する態様について説明し、放送波の受信及び再生の態様については説明を省略する。
【００１３】
ＨＤＭＩ規格のインタフェイスにより接続されているテレビ１０やＤＶＤプレーヤ５０は、自己に直接的又は間接的に外部接続された機器の映像表示仕様や音声出力仕様などを、ＥＤＩＤ−ＲＯＭ（Extended Display Identification-ROM；図示せず）からＤＤＣ（Display Data Channel）ライン（図示せず）を通して読み取り、接続されている機器の仕様にあった映像信号と音声信号を送信するようになっている。しかし、テレビ１０から対応可能な映像信号及び音声信号の仕様を通知しても、ＤＶＤプレーヤ５０がその通知を参照しないケースや対応可能な仕様の信号を出力できないケースが想定される。
【００１４】
本実施形態では以下に詳述するように、ＨＤＭＩ規格のインタフェイスにより接続されているＤＶＤプレーヤ５０のコンテンツを視聴する際に、音声信号がデジタルでない場合や、テレビ１０で再生不可能なフォーマットのデジタルの音声信号である場合、ＨＤＭＩ接続のデジタルの音声信号に代えて、アナログの音声信号を再生する。本実施形態では、再生可能なデジタルの音声信号のフォーマットとして、リニアＰＣＭと、ＡＡＣ、ドルビーデジタルとし、それら以外のｄｔｓ等の信号は再生不可能とする。また、サンプリング周波数が９６．０ｋＨｚを越える音声データは、フォーマットが対応可能であっても再生不可能とする。以下、音声のフォーマットとは、サンプリング周波数も含む概念として説明する。
【００１５】
テレビ１０は、ＨＤＭＩレシーバ１１と、映像制御部１２と、音声制御部１３と、主制御部１４とを備える。主制御部１４は、テレビ１０の各構成要素の動作を統括的に制御する。主制御部１４や後述の判定部２５は、例えば、ＣＰＵ（中央演算装置）等のＬＳＩ（大規模集積回路）やメモリで構成され、そのメモリに記憶されたプログラムらが実行されることで、その機能が実現される。テレビ１０は、さらに音声アンプ１５と、スピーカ１６と、表示部１７とを備える。また、テレビ１０は、複数の外部装置から入力可能とするために、複数の外部入力部を備え、さらにその外部入力部は、複数のフォーマットの信号に対応可能にするため、複数種類の接続端子を備える。
【００１６】
ここでは、図２に示すように、第１外部入力部Ｉｎｐｕｔ１の接続端子として、音声信号および映像信号をデジタルの信号として受信するＨＤＭＩ端子３１と音声信号をアナログの信号として受信するアナログ入力端子３２ａとを備える。さらに、第２外部入力部Ｉｎｐｕｔ２の接続端子として、映像信号用に、コンポーネント入力端子３５ｂ、Ｓ端子３６ｂ、コンポジット端子３７ｂの３種類、音声信号用に、光デジタル端子３３ｂ、アナログ入力端子３２ｂの２種類を備える。第３外部入力部Ｉｎｐｕｔ３の接続端子として、映像信号用に、コンポーネント入力端子３５ｃ、Ｓ端子３６ｃ、コンポジット端子３７ｃの３種類、音声信号用に、光デジタル端子３３ｃ、アナログ入力端子３２ｃの２種類を備える。そして、テレビ１０は、それぞれの接続端子から入力される信号を、再生処理可能となっている。
【００１７】
ここでは、テレビ１０は、ＤＶＤプレーヤ５０の映像信号および音声信号を第１外部入力部Ｉｎｐｕｔ１から取得する。つまり、テレビ１０とＤＶＤプレーヤ５０は、それぞれのＨＤＭＩ端子３１，５１を介してＨＤＭＩケーブル４１によりデジタル接続されている。ＨＤＭＩ端子３１，５１は、ＨＤＭＩ規格に準拠する接続端子である。ＨＤＭＩ規格は、ディスプレイ接続技術のＤＶＩ端子をオーディオ・ビジュアル関連機器向けに機能拡張されたもので、主に、家電やオーディオ・ビジュアル機器向けのデジタル映像・音声入出力インターフェース規格である。ＨＤＭＩ規格では、１本のケーブルで映像信号、音声信号、制御信号を合わせて送ることができ、制御信号は双方向にも伝送させることができる。またさらに、テレビ１０とＤＶＤプレーヤ５０は、音声信号に関してアナログ接続が同時になされており、テレビ１０は、ＤＶＤプレーヤ５０のアナログの音声信号を、アナログ端子３１ａから取得する。
【００１８】
ここで、ＤＶＤプレーヤ５０から出力される信号の流れを説明する。ＤＶＤプレーヤ５０は、再生する音声信号及び映像信号をデジタル信号としてＨＤＭＩトランスミッタ５５からＨＤＭＩ出力端子５１を経由して出力する。出力された音声信号及び映像信号は、ＨＤＭＩケーブル４１を伝わり、ＨＤＭＩ入力端子３１を介して、ＨＤＭＩレシーバ１１に入力される。ＤＶＤプレーヤ５０は、音声信号をデジタル信号だけでなくアナログ信号としても出力する。アナログ信号は、ＤＶＤプレーヤ５０のアナログ出力部５６からアナログ出力端子５２に出力され、アナログケーブル４２を介して、アナログ入力端子３２ａからテレビ１０に入力される。
【００１９】
ＨＤＭＩレシーバ１１は、入力された映像信号を映像制御部１２へ送り、映像制御部１２は所定の処理を施し表示部１７に表示する。同様に、ＨＤＭＩレシーバ１１は、入力された音声信号を音声制御部１３のセレクタ２２へ送る。この音声信号は、ＳＰＤＩＦ（Sony Philips Digital Interface）規格にもとづくデジタル信号である。このデジタル信号は、リニアＰＣＭデータ等の圧縮されていない音声データもしくはＡＡＣデータ等の圧縮された音声データと、コピー保護フラグやトラックＩＤ等の各種付加データなどで構成されている。
【００２０】
ＤＶＤプレーヤ５０から入力される音声信号がアナログ信号である場合、そのアナログ信号はアナログ入力端子３２ａから音声制御部１３に入力される。音声制御部１３に入力されたアナログ信号は、ＡＤＣ２１でアナログ信号からデジタル信号に変換されセレクタ２２へ送られる。
【００２１】
セレクタ２２は、入力経路選択部として機能し、主制御部１４からの制御信号で指定されたＨＤＭＩレシーバ１１またはＡＤＣ２１のいずれかの音声信号を選択し、音声信号処理部２３へ送る。音声信号処理部２３に送られた音声信号は、所定の信号処理がなされて、音声アンプ１５に送られる。音声アンプ１５は、音声信号を所望のレベルに調整し、スピーカ１６から音声を出力する。ここで、音声信号処理部２３における所定の信号処理として、圧縮されていたり符号化されている信号を復号する。
【００２２】
主制御部１４の判定部２５は、ＨＤＭＩレシーバ１１に音声信号が入力されているか確認するとともに、音声信号が入力されている場合、その音声信号が音声信号処理部２３で処理可能なフォーマットであるか否かを判定する。
【００２３】
例えば、上述のように音声信号が、符号化方式がＰＣＭでサンプリング周波数が４４．１ｋＨｚのフォーマットであれば処理可能であると判定する。また、音声信号がｄｔｓのフォーマットであれば、対応可能なフォーマットではないため処理不可能なフォーマットと判定する。ＨＤＭＩ規格では、ＡＳＰ（Audio Sample Packet）と呼ばれるパケットが利用される。このＡＳＰには、Ｃｂｉｔ（チャンネルステータスビット）が含まれ、このＣｂｉｔには、音声データのサンプリング周波数の情報が含まれており、サンプリング周波数を特定できる。ＰＣＭの音声信号であってもサンプリング周波数が９６．０ｋＨｚを越えている１９２．０ｋＨｚのフォーマットであれば処理不可能であると判断する。入力されたデジタル信号が処理不可能と判断されると、セレクタ２２を切り替え、ＡＤＣ２１と音声信号処理部２３とを接続し、音声信号としてアナログ信号を選択する。
【００２４】
以上の構成によるテレビ１０の音声信号の選択手順を、図３をもとに説明する。
まず、判定部２５は、ＤＶＤプレーヤ５０との接続がＨＤＭＩ接続か否かを判定する（Ｓ１０）。具体的には、ＤＶＤプレーヤ５０とテレビ１０のＨＤＭＩ接続では、ホットプラグ検出が行われるので、判定部２５は、その検出結果をＨＤＭＩレシーバ１１から取得して、ＨＤＭＩ接続か否かの判定を行う。
【００２５】
ＨＤＭＩ接続であると判定されると（Ｓ１０のＹ）、判定部２５は、さらにデジタルの音声信号が、ＨＤＭＩレシーバ１１に入力されているか否かを判定する（Ｓ１２）。この判断として、判定部２５は、例えば、ＨＤＭＩレシーバ１１に入力されている音声信号の属性情報があるか否かを判断する。
【００２６】
デジタルの音声信号が入力されていると判断されると（Ｓ１２のＹ）、音声信号処理部２３が、上述のように符号化方式やサンプリング周波数等を参照し、そのデジタルの音声信号が処理可能か否かを判定し、判定結果を判定部２５に通知する（Ｓ１４）。
【００２７】
そのデジタルの音声信号の処理が可能であると判定された場合（Ｓ１４のＹ）、判定部２５は、セレクタ２２に対して、ＤＶＤプレーヤ５０からの音声信号の入力として、ＨＤＭＩ接続によるデジタル信号を選択するよう制御信号を送信し、セレクタ２２はその制御信号を受けてＨＤＭＩレシーバ１１と音声信号処理部２３とを接続する（Ｓ１６）。
【００２８】
一方、Ｓ１０の処理でＨＤＭＩ接続でないと判断された場合（Ｓ１０のＮ）や、Ｓ１２の処理でデジタル信号の入力がないと判断された場合（Ｓ１２のＮ）や、Ｓ１４の処理で音声信号処理部２３が処理不可能と判断された場合（Ｓ１４のＮ）、判定部２５はセレクタ２２に対してＤＶＤプレーヤ５０からの音声信号の入力としてアナログ信号を選択するよう制御信号を送信し、セレクタ２２はその制御信号を受けてＡＤＣ２１と音声信号処理部２３とを接続する（Ｓ１８）。
【００２９】
以上、第１の実施形態によると、テレビ１０とＤＶＤプレーヤ５０とがＨＤＭＩ接続されている場合であって、音声信号が処理できないフォーマットである場合、デジタル信号に代えてアナログ信号を選択できる。デジタル信号が処理できないか否かの判断を視聴者が行う必要がないため、オーディオ・ビジュアル機器等の接続にそれほど詳しくない者が視聴する際に、音声信号のフォーマットを気にせず視聴できる。
【００３０】
＜第２の実施形態＞
図４は、第２の実施形態に関し、テレビ１０とＤＶＤプレーヤ５０とを接続した状態を示した機能ブロック図である。第１の実施形態と同一機能の構成要素に関しては、図１と
同一符号を付し、以下説明を適宜省略する。
【００３１】
第２の実施形態では、テレビ１０はＤＶＤプレーヤ５０からの音声信号を、第１外部入力部Ｉｎｐｕｔ１のＨＤＭＩ接続（ＨＤＭＩケーブル４１）と、第２外部入力部Ｉｎｐｕｔ２の光デジタル接続（光ケーブル４３）と、第３外部入力部Ｉｎｐｕｔ３のアナログ接続（アナログケーブル４２）のいずれかから取得する。ＨＤＭＩ接続による音声信号が、処理できないフォーマットである場合や、音声信号が存在しない場合、まず、光デジタル接続による音声信号、つまり第２外部入力部Ｉｎｐｕｔ２の音声信号が選択される。さらに、第２外部入力部Ｉｎｐｕｔ２の光デジタル接続による音声信号が処理できないフォーマットである場合や光デジタル接続に音声信号が存在しない場合に、第３外部入力部Ｉｎｐｕｔ３のアナログ接続による音声信号が、ＤＶＤプレーヤ５０からの音声信号として選択される。
【００３２】
図５は、テレビ１０の外部機器との接続端子を示した図である。図２に示した接続端子と異なる点は、第１外部入力部Ｉｎｐｕｔ１の端子が、ＨＤＭＩ端子３１のみとなっている点である。
【００３３】
一般には、異なる外部入力部には異なる機器が接続されるが、本実施形態では、第１〜第３外部入力部Ｉｎｐｕｔ１〜３に一つの機器、ここでは、ＤＶＤプレーヤ５０が接続される。なお、ＤＶＤプレーヤ５０は、光デジタルによる音声信号を出力するための、デジタル出力部５７および光デジタル出力端子５３とを備える。光デジタル出力端子５３は、光ケーブル４３によって、テレビ１０の光デジタル入力端子３３ｂと接続される。
【００３４】
また、ＨＤＭＩ接続として第１外部入力部Ｉｎｐｕｔ１のＨＤＭＩ入力端子３１が、光デジタル接続として第２外部入力部Ｉｎｐｕｔ２の光デジタル入力端子３３ｂが、アナログ接続として第３外部入力部Ｉｎｐｕｔ３のアナログ端子３２ｃが、選択されている。また、映像信号は、ＨＤＭＩ接続、つまり第１外部入力部Ｉｎｐｕｔ１からテレビ１０に入力される。なお、ＤＶＤプレーヤ５０との各接続（ＨＤＭＩ接続・光デジタル接続・アナログ接続）が、どの外部入力部に接続されているか、そして、ＨＤＭＩ接続の音声信号が利用できないときに、どの接続を選択するかは、予めユーザが設定することが好ましい。しかしながら、テレビ１０がデフォルトの設定として、第１外部入力部Ｉｎｐｕｔ１つまりＨＤＭＩ接続の音声信号を再生できない場合に、デジタル接続か否かにかかわらず第２外部入力部Ｉｎｐｕｔ２の音声信号が再生可能か判断し、第２外部入力部Ｉｎｐｕｔ２の音声信号が再生不可能な場合に、第外部入力部Ｉｎｐｕｔ３の音声信号を選択するとしてもよい。
【００３５】
セレクタ２２は、主制御部１４からの制御信号で指定された音声信号として、ＨＤＭＩレシーバ１１、ＡＤＣ２１、光デジタル入力端子３３ｃのいずれかの音声信号を選択する。
【００３６】
以上の構成によるテレビ１０の音声信号の選択手順を図６をもとに説明する。
まず、判定部２５は、ＤＶＤプレーヤ５０との接続がＨＤＭＩ接続か否かを判定する（Ｓ１１０）。
【００３７】
ＨＤＭＩ接続であると判定されると（Ｓ１１０のＹ）、判定部２５は、ＨＤＭＩ接続によるデジタルの音声信号が、ＨＤＭＩレシーバ１１に入力されているか否かを判定する（Ｓ１１２）。
【００３８】
ＨＤＭＩ接続によるデジタルの音声信号が入力されていると判断されると（Ｓ１１２のＹ）、音声信号処理部２３が、上述のように符号化方式やサンプリング周波数等を参照し、そのデジタル信号を処理可能か否かを判定し、判定結果を判定部２５に通知する（Ｓ１１４）。
【００３９】
そのデジタル信号の処理が可能であると判定された場合（Ｓ１１４のＹ）、判定部２５は、セレクタ２２に対して、ＤＶＤプレーヤ５０からの音声信号の入力として、第１外部入力部Ｉｎｐｕｔ１の音声信号、つまりＨＤＭＩ接続によるデジタル信号を選択するよう制御信号を送信し、セレクタ２２はその制御信号を受けてＨＤＭＩレシーバ１１と音声信号処理部２３とを接続する（Ｓ１１６）。
【００４０】
一方、Ｓ１１０の処理でＨＤＭＩ接続でないと判断された場合（Ｓ１１０のＮ）や、Ｓ１１２の処理でＨＤＭＩ接続によるデジタル信号の入力がない（ＤＶＩ規格の信号が入力された場合など）と判断された場合（Ｓ１２のＮ）、第２外部入力部Ｉｎｐｕｔ２にデジタル信号の入力があるか無いかを判断する（Ｓ１１８）。
【００４１】
第２外部入力部Ｉｎｐｕｔ２にデジタル信号の入力が無いと判断された場合（Ｓ１１８のＮ）、判定部２５は、セレクタ２２に対してＤＶＤプレーヤ５０からの音声信号の入力として、第３外部入力部Ｉｎｐｕｔ３のアナログ信号を選択するよう制御信号を送信し、セレクタ２２はその制御信号を受けてＡＤＣ２１と音声信号処理部２３とを接続する（Ｓ１２０）。
【００４２】
また、第２外部入力部Ｉｎｐｕｔ２にデジタル信号の入力があると判断された場合（Ｓ１１８のＹ）、Ｓ１１４の処理と同様に、そのデジタル信号が処理可能なフォーマットであるか否かを判断する（Ｓ１２２）。
【００４３】
処理可能なフォーマットでないと判断された場合（Ｓ１２２のＮ）、上述したＳ１２０の処理を実行する。
【００４４】
処理可能なフォーマットであると判断された場合（Ｓ１２２）、判定部２５は、セレクタ２２に対してＤＶＤプレーヤ５０からの音声信号の入力として、第２外部入力部Ｉｎｐｕｔ２のデジタル信号を選択するよう制御信号を送信し、セレクタ２２はその制御信号を受けて、第２外部入力部Ｉｎｐｕｔ２から入力されたデジタル信号を音声信号処理部２３に接続する（Ｓ１２４）。
【００４５】
Ｓ１１６、Ｓ１２０、Ｓ１２４の何れかの処理により音声信号の接続が確立すると、通知部２６は、映像制御部１２を介して表示部１７に接続された音声入力の種類を、例えば、「ＨＤＭＩ接続／Ｉｎｐｕｔ１」や「デジタル接続／Ｉｎｐｕｔ２」、「アナログ接続／Ｉｎｐｕｔ３」、等と表示して視聴者に通知する。また、この通知の際に、表示部１７に通知するだけでなく、音声によって通知してもよい。
【００４６】
以上、第２の実施形態によれば、テレビ１０とＤＶＤプレーヤ５０とがＨＤＭＩ接続されている場合であって、ＨＤＭＩ接続によるデジタル信号が処理できないフォーマットの音声信号であったり音声信号が存在しない場合、ＨＤＭＩ接続以外の音声信号を選択できる。
【００４７】
以上、本発明を実施形態をもとに説明した。この実施形態は例示であり、それらの各構成要素や各処理プロセスの組合せにいろいろな変形例が可能なこと、またそうした変形例も本発明の範囲にあることは当業者に理解されるところである。
【００４８】
例えば、実施形態では、テレビ１０とＤＶＤプレーヤ５０とのデジタル接続をＨＤＭＩケーブル規格（ＨＤＭＩインタフェイス）による接続としたが、これに限る趣旨ではない。音声信号と映像信号との二つのデジタル信号が、一本のケーブルで伝送される構成であれば適用できる。
【産業上の利用可能性】
【００４９】
本発明は、入力される音声信号としてデジタル信号及びアナログ信号のいずれでも再生可能なテレビなどの機器に広く利用できる。
【図面の簡単な説明】
【００５０】
【図１】第１の実施形態に係るテレビとＤＶＤプレーヤがＨＤＭＩケーブル及びアナログケーブルにより接続された状態を示す機能ブロック図である。
【図２】第１の実施形態に係るテレビの外部入力部の外観を示す図である。
【図３】第１の実施形態において、音声信号としてデジタル信号またはアナログ信号のいずれの信号をＤＶＤプレーヤからの音声信号として選択するかの手順を示すフローチャートである。
【図４】第２の実施形態に係るテレビとＤＶＤプレーヤがＨＤＭＩケーブル及びアナログケーブルにより接続された状態を示す機能ブロック図である。
【図５】第２の実施形態に係るテレビの外部入力部の外観を示す図である。
【図６】第２の実施形態において、ＤＶＤプレーヤからの音声信号として、どの接続の音声信号を選択するかの手順を示すフローチャートである。
【符号の説明】
【００５１】
１０・・・テレビ（表示装置）、  １１・・・ＨＤＭＩレシーバ、  １２・・・映像制御部、  １３・・・音声制御部、  １４・・・主制御部、  １５・・・音声アンプ、  １６・・・スピーカ、  １７・・・表示部、  ２１・・・アナログ・デジタルコンバータ（ＡＤＣ）、  ２２・・・セレクタ（入力経路選択部）、  ２３・・・音声信号処理部、  ２５・・・判定部、  ２６・・・通知部、  ３１，５１・・・ＨＤＭＩ入力端子、  ３２ａ，３２ｂ，３２ｃ・・・アナログ入力端子、  ３３ａ，３３ｂ，３３ｃ・・・光デジタル入力端子
【図１】
2008228009.tif 000003
【図２】
2008228009.tif 000004
【図３】
2008228009.tif 000005
【図４】
2008228009.tif 000006
【図５】
2008228009.tif 000007
【図６】
2008228009.tif 000008